(57)【要約】【課題】ジンバルの設計自由度を向上するリミッタ機構を提供する。【解決手段】本発明の一実施形態のＨＧＡ２００は、ヘッド・スライダ１０５のシルエット内にリミッタ機構を備えている。リミッタ機構は、ジンバル・タングに設けられたリミッタ・タブ２２５と、ロード・ビーム２０３の突出部２３３を備える。外部からの衝撃があると、突出部２３３がリミッタ・タブ２２５を係止して、ジンバル２０２の変形を規制する。リミッタ・タブ２２５は、加工前にヘッド・スライダ１０５のシルエット内ある部分を加工して形成される。これによって、ヘッド・スライダ周辺における、ジンバル２０２及びロード・ビーム２０３の設計自由度をあげることができる。【選択図】図４
2007280445.tif 000002
【特許請求の範囲】
【請求項１】
スライダと、そのスライダを支持するサスペンションとを備えるアセンブリであって、
前記サスペンションは、
前記スライダが固定されている舌片部と、その舌片部の変位を規制するリミッタ・タブと、を有するジンバルと、
第１の面において前記ジンバルを支持し、前記リミッタ・タブを係止する係止部を有するロード・ビームと、を備え、
前記リミッタ・タブ及び前記係止部は、前記第１の面に垂直な方向において前記スライダと重なる領域内にあり、
前記リミッタ・タブは、加工前に前記第１の面に垂直な方向において前記スライダと重なる領域内にある前記ジンバルの一部を加工して形成されている、アセンブリ。
【請求項２】
前記リミッタ・タブは、前記舌片部の前端部もしくは後端部から延在している、
請求項１に記載のアセンブリ。
【請求項３】
前記第１の面に射影した前記リミッタ・タブの前後方向における寸法は、前記第１の面に射影した前記スライダの前後方向における寸法の半分以下である、
請求項２に記載のアセンブリ。
【請求項４】
前記ロード・ビームは、前記スライダの中心より後ろに前記舌片部に当接するディンプルを備え、
前記リミッタ・タブは前記舌片部の前端部から延在している、
請求項１に記載のアセンブリ。
【請求項５】
前記舌片部は、その中心よりも後ろ側において前記ジンバルの本体部につながっており、
前記リミッタ・タブは前記舌片部の前端部から延在している、
請求項１に記載のアセンブリ。
【請求項６】
前記ロード・ビームは、前記スライダの中心より後ろに前記舌片部に当接するディンプルを備え、
前記舌片部は、その中心よりも後ろ側において前記ジンバルの本体部につながっており、
前記リミッタ・タブは前記舌片部の前端部から延在している、
請求項１に記載のアセンブリ。
【請求項７】
前記ロード・ビームは、前記スライダの中心より前に前記舌片部に当接するディンプルを備え、
前記リミッタ・タブは前記舌片部の後端部から延在している、
請求項１に記載のアセンブリ。
【請求項８】
前記舌片部は、その中心よりも前側において前記ジンバルの本体部につながっており、前記リミッタ・タブは前記舌片部の後辺から延在している、
請求項１に記載のアセンブリ。
【請求項９】
前記ロード・ビームは、前記スライダの中心より前に前記舌片部に当接するディンプルを備え、
前記舌片部は、その中心よりも前側において前記ジンバルの本体部につながっており、
前記リミッタ・タブは前記舌片部の後端部から延在している、
請求項１に記載のアセンブリ。
【請求項１０】
前記リミッタ・タブは、前記舌片部の前端部もしくは後端部から延在し、前記ロード・ビームの孔を通過し、
前記係止部は、前記第１の面の反対面において前記リミッタ・タブ係止する、
請求項１に記載のアセンブリ。
【請求項１１】
ディスクを回転するモータと、
前記ディスク上を浮上するスライダと、
前記スライダを支持するサスペンションを備え、回動軸を中心に回動して前記スライダを移動するアクチュエータと、を備え、
前記サスペンションは、
前記スライダが固定されている舌片部と、その舌片部の変位を規制するリミッタ・タブと、を有するジンバルと、
前記ディスク側の面において前記ジンバルを支持し、前記リミッタ・タブを係止する係止部を有するロード・ビームと、を備え、
前記リミッタ・タブ及び前記係止部は、前記ディスクの記録面に垂直な方向において前記スライダと重なる領域内にあり、
前記リミッタ・タブは、加工前に前記ディスクの記録面に垂直なに垂直な方向において前記スライダと重なる領域内にある前記ジンバルの一部を加工して形成されている、
ディスク・ドライブ装置。
【請求項１２】
前記リミッタ・タブは、前記舌片部の前端部もしくは後端部から延在している、
請求項１１に記載のディスク・ドライブ装置。
【発明の詳細な説明】
【技術分野】
【０００１】
本発明はディスク・ドライブ装置及びそれに使用されるアセンブリに関し、特に、サスペンションの変形を規制するリミッタ構造を有するサスペンション及びそのサスペンションを有するディスク・ドライブ装置に関する。
【背景技術】
【０００２】
ディスク・ドライブ装置として、光ディスク、光磁気ディスク、あるいはフレキシブル磁気ディスクなどの様々な態様の記録ディスクを使用する装置が知られているが、その中で、ハードディスク・ドライブ（ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
ＨＤＤで使用される磁気ディスクは、同心円状に形成された複数のデータ・トラックを有しており、各データ・トラックはアドレス情報を有する複数のサーボ・データとユーザ・データを含む複数のデータ・セクタが記録されている。ヘッド素子部がサーボ・データのアドレス情報に従って所望のデータ・セクタにアクセスすることによって、データ・セクタへのデータ書き込み及びデータ・セクタからのデータ読み出しを行うことができる。
【０００４】
ヘッド素子部はスライダに搭載され、さらにそのスライダはアクチュエータのサスペンション上に固着されている。アクチュエータとヘッド・スライダのアセンブリを、ヘッド・スタック・アセンブリ（ＨＳＡ）と呼ぶ。また、サスペンションとヘッド・スライダのアセンブリを、ヘッド・ジンバル・アセンブリ（ＨＧＡ）と呼ぶ。
【０００５】
磁気ディスクに対向するスライダＡＢＳ（Air Bearing Surface）面と回転している磁気ディスクとの間の空気の粘性による圧力が、サスペンションによって磁気ディスク方向に加えられる圧力とバランスすることによって、ヘッド・スライダは磁気ディスク上を一定のギャップを置いて浮上することができる。サスペンションは、ヘッド・スライダを磁気ディスク対向面側で保持するジンバルと、ジンバルを磁気ディスク対向面側で保持するロード・ビームとを備えている。磁気ディスクの面振れなどを吸収するためにスライダが所定方向に傾くことができるように、ジンバルは変形可能に形成されている。
【０００６】
一方、ジンバルの過大な変形を防止する等のため、ジンバルとロード・ビームとの間の間隔を制限するリミッタ機構を、サスペンションが備えることが有効であることが知られている。例えば、特許文献１には、リミッタ機構の一例が開示されている。
【特許文献１】特開２００４−１３４０５９号公報
【発明の開示】
【発明が解決しようとする課題】
【０００７】
上記のように、サスペンションはジンバルの変形を規制するリミッタ機構を備えることが有効である。一方、磁気ディスクの記録密度の向上及びヘッド浮上高の低下に従い、ジンバルの形状設計は、益々難しいものとなってきている。ジンバルは、ヘッド・スライダのスムーズな動きを妨げるとこがないように、ロール方向及びピッチ方向においてヘッド・スライダの動きに追従することが必要である。
【０００８】
その一方、強度が必要とされる。特に、ロード・アンロード方式のＨＤＤにおいて、ヘッド・スライダを磁気ディスクから引き離す方向における十分な強度が必要とされる。従って、ジンバルのより適切な形状設計のために、特にヘッド・スライダ周辺における設計の自由度を上げることが求められる。
【課題を解決するための手段】
【０００９】
本発明の一つの態様に係るアセンブリは、スライダと、そのスライダを支持するサスペンションを備える。前記サスペンションは、前記スライダが固定されている舌片部と、その舌片部の変位を規制するリミッタ・タブと、を有するジンバルと、第１の面において前記ジンバルを支持し、前記リミッタ・タブを係止する係止部を有するロード・ビームを備える。前記リミッタ・タブ及び前記係止部は、前記第１の面に垂直な方向において前記スライダと重なる領域内にある。前記リミッタ・タブは、加工前に前記第１の面に垂直な方向において前記スライダと重なる領域内にある前記ジンバルの一部を加工して形成されている。上述のようにリミッタ・タブ及び係止部を構成することによって、スライダ周囲のジンバルの設計自由度を向上することができる。
【００１０】
前記リミッタ・タブは、前記舌片部の前端部もしくは後端部から延在していることが好ましい。さらに、前記第１の面に射影した前記リミッタ・タブの前後方向における寸法は、前記第１の面に射影した前記スライダの前後方向における寸法の半分以下であることが好ましい。これによって、スライダのジンバルへの固着をより確実に行うことができる。
【００１１】
前記ロード・ビームは、前記スライダの中心より後ろに前記舌片部に当接するディンプルを備え、前記リミッタ・タブは前記舌片部の前端部から延在していることが好ましい。あるいは、前記舌片部は、その中心よりも後ろ側において前記ジンバルの本体部につながっており、前記リミッタ・タブは前記舌片部の前端部から延在していることが好ましい。あるいは、前記ロード・ビームは、前記スライダの中心より後ろに前記舌片部に当接するディンプルを備え、前記舌片部は、その中心よりも後ろ側において前記ジンバルの本体部につながっており、前記リミッタ・タブは前記舌片部の前端部から延在していることが好ましい。これによって、スライダの自由な動きを確保するとともに、ジンバルの変形をより確実に規制することができる。
【００１２】
前記ロード・ビームは、前記スライダの中心より前に前記舌片部に当接するディンプルを備え、前記リミッタ・タブは前記舌片部の後端部から延在していることが好ましい。あるいは、前記舌片部は、その中心よりも前側において前記ジンバルの本体部につながっており、前記リミッタ・タブは前記舌片部の後辺から延在していることが好ましい。前記ロード・ビームは、前記スライダの中心より前に前記舌片部に当接するディンプルを備え、前記舌片部は、その中心よりも前側において前記ジンバルの本体部につながっており、前記リミッタ・タブは前記舌片部の後端部から延在していることが好ましい。これによって、スライダの自由な動きを確保するとともに、ジンバルの変形をより確実に規制することができる。
【００１３】
前記リミッタ・タブは、前記舌片部の前端部もしくは後端部から延在し、前記ロード・ビームの孔を通過し、前記係止部は、前記第１の面の反対面において前記リミッタ・タブ係止することが好ましい。これによって、少ない占有面積によって確実にジンバルの変形を規制することができるリミッタ機構を構成することができる。
【００１４】
本発明の他の態様に係るディスク・ドライブ装置は、ディスクを回転するモータと、前記ディスク上を浮上するスライダと、前記スライダを支持するサスペンションを備え、回動軸を中心に回動して前記スライダを移動するアクチュエータを備える。前記サスペンションは、前記スライダが固定されている舌片部と、その舌片部の変位を規制するリミッタ・タブと、を有するジンバルと、前記ディスク側の面において前記ジンバルを支持し、前記リミッタ・タブを係止する係止部を有するロード・ビームを備える。前記リミッタ・タブ及び前記係止部は、前記ディスクの記録面に垂直な方向において前記スライダと重なる領域内にある。前記リミッタ・タブは、加工前に前記ディスクの記録面に垂直なに垂直な方向において前記スライダと重なる領域内にある前記ジンバルの一部を加工して形成されている。上述のようにリミッタ・タブ及び係止部を構成することによって、スライダ周囲のジンバルの設計自由度を向上することができる。
【発明の効果】
【００１５】
本発明によれば、ジンバルの変形を効果的に規制すると共に、サスペンションの設計自由度を上げることができる。
【発明を実施するための最良の形態】
【００１６】
以下に、本発明を適用可能な実施の形態を説明する。説明の明確化のため、以下の記載及び図面は、適宜、省略及び簡略化がなされている。又、各図面において、同一要素には同一の符号が付されており、説明の明確化のため、必要に応じて重複説明は省略されている。
【００１７】
本形態においては、ディスク・ドライブ装置の一例として、ハードディスク・ドライブ（ＨＤＤ）について説明する。本形態のＨＤＤは、ヘッド・スライダのシルエット内にリミッタ機構を備えている。また、リミッタ機構の一部を構成し、ジンバル・タングに設けられたリミッタ・タブは、加工前にヘッド・スライダのシルエット内ある部分を加工して形成される。これによって、ヘッド・スライダ周辺における、ジンバル及びロード・ビームの設計自由度をあげることができる。
【００１８】
本形態の特徴点について詳細に説明する前に、最初に、ＨＤＤの全体構成について説明する。図１は、本実施の形態に係るＨＤＤ１００の全体構成を模式的に示す上面図である。データを記録するディスクの一例ある磁気ディスク１０１は不揮発性の記録ディスクであって、磁性層が磁化されることによってデータを記録する。ベース１０２は、ガスケット（不図示）を介してベース１０２の上部開口を塞ぐカバー（不図示）と固定することによって筐体の一例であるディスク・エンクロージャを構成し、ＨＤＤ１００の各構成要素を収容することができる。
【００１９】
クランプ１０４は磁気ディスク１０１をスピンドル・モータ１０３に固定する。磁気ディスク１０１は、ベース１０２の底面に固定されたスピンドル・モータ１０３により所定の角速度で回転駆動される。ヘッド・スライダ１０５は磁気ディスク１０１にアクセスする。ヘッド・スライダ１０５は、ヘッド素子部とヘッド素子部が固定されたスライダとを有する。アクチュエータ１０６は、ヘッド・スライダ１０５を保持し、移動する。
【００２０】
アクチュエータ１０６は回動軸１０７に回動自在に保持されており、自身を回動する駆動機構としてのボイス・コイル・モータ（ＶＣＭ）１０９を備えている。アクチュエータ１０６は、ヘッド・スライダ１０５が配置されたその先端部から、サスペンション１１０、アーム１１１、及びフラットコイル１１３を保持するコイル・サポート１１２の順で結合された各構成部材を備えている。以下、アクチュエータ１０６及びその構成要素の説明に関し、本明細書おいて、回動軸１０７側を後ろ側、先端部側を前側として説明する。また、本明細書において、ヘッド・スライダ１０５とサスペンション１１０のアセンブリを、ヘッド・ジンバル・アセンブリ（ＨＧＡ）と呼ぶ。ヘッド・スライダ１０５を支持するサスペンション１１０の構成については、後に詳細に説明する。
【００２１】
ランプ１１５は磁気ディスク１０１の外周端部に近接し、磁気ディスク１０１の回転が停止するときなどに、ヘッド・スライダ１０５を磁気ディスク１０１の面上からアンロードする退避位置を備える。アクチュエータ１０６は、回動して磁気ディスク１０１上からその退避位置にヘッド・スライダ１０５をアンロードし、その退避位置から磁気ディスク１０１上にロードする。タブ１１６はサスペンション１１０の先端部に形成されており、ロード／アンロードにおいてランプ１１５上を摺動する。この他、データ書き込み／読み出し処理を行わない場合に、ヘッド・スライダ１０５が磁気ディスク１０１の内周に配置されているゾーンに退避するＣＳＳ（Contact Start and Stop）方式が知られており、本実施の形態に係るＨＤＤにも適用可能である。
【００２２】
磁気ディスク１０１からのデータの読み取り／書き込みのため、アクチュエータ１０６は回転している磁気ディスク１０１表面のデータ領域上にヘッド・スライダ１０５を移動する。アクチュエータ１０６が回動することによって、ヘッド・スライダ１０５が磁気ディスク１０１の記録面の半径方向に沿って移動する。磁気ディスク１０１に対向するヘッド・スライダ１０５のＡＢＳ（Air Bearing Surface）面で発生する力とサスペンション１１０による押し付け力とがバランスすることによって、ヘッド・スライダ１０５は磁気ディスク１０１上を所定のギャップを置いて浮上する。
【００２３】
ヘッド・スライダ１０５とプリアンプＩＣ１２３との間の信号は、アクチュエータ１０６に固定されているトレース１２２が伝送する。トレース１２２は、磁気ディスク１０１の反対側において、アーム１１１の回動方向を向く側面に沿って延びている。ＦＰＣ１４３はコネクタ１４７を介して、ベース１０２裏面に実装される制御回路基板（不図示）と回路的に接続されている。ＦＰＣ１４３は、制御回路とプリアンプＩＣ１２３との間の信号を伝送する。制御回路が、ＨＤＤ１００の動作制御及びその信号処理を行う。尚、ＨＤＤ１００は、１もしくは複数枚の磁気ディスク１０１を備えることができ、各磁気ディスクの片面もしくは両面に記録面を形成することができる。ＨＤＤ１００は、各記録面に対応するＨＧＡを備える。
【００２４】
図２（ａ）及び図２（ｂ）は、ヘッド・アセンブリの一例である本形態のＨＧＡ２００の構成を模式的に示す平面図である。図２（ａ）は、磁気ディスク１０１（ヘッド・スライダ１０５）側から見たＨＧＡ２００の構成を示し、図２（ｂ）はその反対側から見たＨＧＡ２００の構成を示している。図３は、ＨＧＡ２００の各構成要素を示す分解斜視図である。以下、これらを参照して説明する。
【００２５】
図３に示すように、本形態のサスペンション１１０は、フレックス・ケーブル２０１、ジンバル２０２、ロード・ビーム２０３及びマウント・プレート２０４を備えている。フレックス・ケーブル２０１及びその下のジンバル２０２の一部が、トレース１２２を構成する。フレックス・ケーブル２０１において、複数本のリードが互いに接触することなく、ポリイミド絶縁層と一体的に形成されている。
【００２６】
各リードの一端は、ＦＰＣ１４７に接続されるマルチコネクタ２１１を構成する。ヘッド・スライダ１０５側における各リードの他端は、ヘッド・スライダ１０５に形成されたパッドに接続される。フレックス・ケーブル２０１は、ジンバル２０２に接着剤によって固定する。なお、同様の構造をジンバル２０２上に直接形成することもできる。
【００２７】
ロード・ビーム２０３は、精密な薄板ばねとして、ステンレス鋼などによって形成される。その形状は、薄く軽量であると共に必要な剛性が保てるように設計される。その剛性はジンバル２０２よりも高い。図２（ａ）及び（ｂ）に示すように、その長手方向（タブ１１６（前側）から回動軸（後側）への方向）に沿ったヒンジ部２３１までの両縁部は、磁気ディスク１０１から離れる方向に（図３における下方向）曲げられ、フランジ２３２ａ、２３２ｂが形成されている。フランジ２３２ａ、２３２ｂは、ロード・ビーム２０３の剛性を高める。図２に示すように、ヒンジ部２３１は開口２１８を有し、また、フランジ２３２ａ、２３２ｂは形成されていない。ヒンジ部２３１は、バネ性を有することによってヘッド・スライダ１０５への加重を発生させ、それがヘッド・スライダ１０５のＡＢＳ面で発生する力とバランスする。
【００２８】
マウント・プレート２０４とジンバル２０２とは、共にロード・ビーム２０３にレーザ・スポット溶接やかしめ加工などによって一体化される。マウント・プレート２０４及びジンバル２０２は、例えば、ステンレス鋼で形成する。ジンバル２０２前端部のジンバル・タブ２２１は、ヘッド・スライダ１０５がランプ１１５に退避しているときに外部からの衝撃を受けた場合にランプ１１５と接触することによって、ジンバル２０２の回復不能な変形を防止する。
【００２９】
ジンバル２０２は、ジンバル・ベース部２２２においてロード・ビーム２０３に固定され、ジンバル・アーム２２３ａ、２２３ｂ及びジンバル・タング２２４を含むジンバル２０２の前部は固定されておらず、自由な状態となっている。ジンバル・ベース部２２８からヘッド・スライダ１０５側に延在する２つのジンバル・アーム２２３ａ、２２３ｂは、ジンバル・アーム２２３に連続してそれらの前部に形成されている舌片部の一例であるジンバル・タング２２４を弾性的に支持する。ジンバル・タング２２４は、回動方向に延びるリンク・アーム２２８ａ、２２８ｂによって、ジンバル・アーム２２３ａ、２２３ｂに結合されている。ジンバル・タング２２４前方側には、フレキシブル・ケーブル２０１の一部を支持するための矩形上のリング２２９が設けられている。
【００３０】
図２（ｂ）に示すように、ジンバル・タング２２４の磁気ディスク側の面上にヘッド・スライダ１０５が固着されている。ジンバル・タング２２４には、ジンバルの動きを規制するリミッタ・タブ２２５が形成されている。図３において、リミッタ・タブ２２５は、ロード・ビーム２０３の突部２３３に係止され、ジンバル２０２の大きな変形を防止する。リミッタ・タブ２２５と突部２３３とが、リミッタ機構を構成する。
【００３１】
搬送中もしくは組み立て作業中に、サスペンション１１０に弱い衝撃あるいは強い衝撃が加えられることがある。また、アンロード処理において、回転する磁気ディスク１０１とヘッド・スライダ１０５との間が働いているには吸引力に抗してヘッドを引き離すことが必要である。リミッタ・タブ２２５及び外部からの衝撃あるいはヘッド・スライダ１０５と磁気ディスク１０１との間の吸引力に抗して、ヘッド・スライダ１０５の動きを規制することによって、ヘッド・スライダ１０５あるいはサスペンション１１０の損傷を効果的に防止する。このリミッタ機構については、後に詳述する。
【００３２】
図４（ａ）は、図２（ａ）におい円で囲まれたＨＧＡ２００の前部の部分拡大図であり、ヘッド・スライダ１０５側から見た状態を模式的に示している。図４（ｂ）は、図４（ａ）からヘッド・スライダ１０５を取り除いた構成を模式的に示している。本形態のＨＧＡ２００において特徴的な点は、ヘッド・スライダ１０５のシルエット内にリミッタ機構、つまり、リミッタ・タブ２２５と突部２３３とがあることである。磁気ディスク１０１の記録面と垂直な方向、つまり、ロード・ビーム２０３の磁気ディスク側面と垂直な方向においてヘッド・スライダ１０５と重なる領域内に、リミッタ・タブ２２５及び突部２３３が位置している。
【００３３】
さらに、リミッタ・タブ２２５は、加工前にヘッド・スライダ１０５のシルエット内にあるジンバル２０２の一部を加工して形成されている。具体的には、リミッタ・タブ２２５は、ジンバル２０２の一部をエッチング及び曲げ加工（プレス加工）することによって形成する。上述のように、ヘッド・スライダ１０５をジンバル・タング２２４上に固着した場合における、そのシルエット内の部分によって、リミッタ・タブ２２５を形成する。
【００３４】
このように、リミッタ・タブ２２５及び突部２３３がヘッド・スライダ１０５のシルエット内にあることによって、ヘッド・スライダ１０５周囲における、ジンバル２０２及びロード・ビーム２０３の設計自由度を向上することができる。さらに、加工後にリミッタ・タブ２２５を構成する部分は、その加工前において、ヘッド・スライダ１０５のシルエット内にある部分であるので、ジンバル２０２の設計自由度をさらに向上する。
【００３５】
ヘッド・スライダ１０５は、ジンバル・タング２２４上に、接着剤２２６によって固着される。接着剤２２６としては、低弾性エポキシ樹脂を使用することができる。リミッタ・タブ２２５をヘッド・スライダ１０５のシルエット内に形成するためには、ジンバル・タング２２４とヘッド・スライダ１０５の固着面の面積が小さくなる。そのため、製造工程においてジンバル・タング２２４上からの接着剤２２６の漏れ出しが問題となる。
【００３６】
本形態のＨＧＡ２００は、ジンバル・タング２２４面上にスタッド２２７を備える。接着剤２２６の漏れは、凸状部としてのスタッド２２７によって閉じられた領域内に塗布され、これによって接着剤２２６の漏れを抑制する。このように、スタッド２２７は接着剤２２６の漏れを防ぐ壁としてはたらく。スタッド２２７は、硬化樹脂で形成することができる。本例のように、スタッド２２７は接着剤２２６を塗布する特定の領域を囲み閉じていることが好ましいが、その一部に開口を形成することもできる。
【００３７】
また、リミッタ・タブ２２５をヘッド・スライダ１０５のシルエット内に形成することによって、ジンバル・タング２２４とヘッド・スライダ１０５との固着面積が小さすぎる場合、ヘッド・スライダ１０５をジンバル・タング２２４面上に確実に固着することができない可能性がある。このため、より多くの固着面積を確保することが重要となる。そのため、図４に示すように、シルエット内におけるリミッタ・タブ２２５の寸法を、ヘッド・スライダ１０５の寸法の半分以下とすることが好ましい。
【００３８】
本形態のリミッタ・タブ２２５は、ジンバル・タング２２４の前端部に設けられ、その前端部から延出している。具体的には、リミッタ・タブ２２５はジンバル・タング２２４の前辺２４１に形成され、そこから前方に向かって延在している。従って、リミッタ・タブ２２５を磁気ディスク記録面もしくはロード・ビーム２０３の磁気ディスク側面に射影した場合において、リミッタ・タブ２２５の前後方向の寸法Ｌ１が、ヘッド・スライダ１０５の寸法Ｌ２の半分以下であることが好ましい。これにより、ジンバル・タング２２４上でヘッド・スライダ１０５をより確実に保持することができる。これは、リミッタ・タブ２２５が、ジンバル・タング２２４の後端部から延在している場合も同様である。
【００３９】
ヘッド・スライダ１０５のシルエット内において、リミッタ・タブ２２５を形成するためには、その形成位置及び形状が重要となる。これは、限られた領域内にリミッタ・タブ２２５を形成するとともに、ジンバル２０２の変形を確実に規制することができる強度が必要とされるからである。ヘッド・スライダ１０５の側方側にリミッタ・タブ２２５を形成する場合、その両側に形成することが必要となる。また、ヘッド・スライダ１０５の側方側の領域は、ＨＧＡ２００の構造上、前後方向よりも限られている。このため、強固な係止作用を奏するリミッタ・タブ形状を形成することが困難である。
【００４０】
これに対して、本形態のリミッタ・タブ２２５は、ジンバル・タング２２４の前辺２４１から延出している。これによって、ジンバル・タング２２４の側辺（回動方向を向く辺）に形成する場合に比較して、省スペースで確実なリミッタ機構を形成することができる。なお、図４（ａ）の例と異なり、リミッタ・タブ２２５がジンバル・タング２２４の後辺から延出している場合も、同様の効果を奏する。
【００４１】
ジンバル・タング２２４は、その周囲をジンバル・アーム２２３ａ、２２３ｂが囲んで画定する領域内に位置し、ジンバル・アーム２２３ａ、２２３ｂにつながっている。本形態のジンバル・タング２２４は、その中心よりも後ろ側において、リンク・アーム２２８ａ、２２８ｂによって、ジンバル・アーム２２３ａ、２２３ｂに結合されている。具体的には、ジンバル・アーム２２３は、ジンバル・タング２２４の中心よりも後ろ側の両側辺（回動方向を向く両辺）において、リンク・アーム２２８ａ、２２８ｂを介して、ジンバル・タング２２４を支持している。この一例のように、ジンバル・タング２２４が後ろ側においてジンバル本体とつながっている場合、ジンバル・タング２２４の前辺２４１に、リミッタ・タブ２２５を形成することが好ましい。
【００４２】
ジンバル・タング２２４の前辺２４１はジンバル・アーム２２３に支持されておらず、自由な状態にある。このため、ジンバル・タング２２４の前辺２４１が大きく振れやすい。ジンバル・タング２２４の前辺２４１にリミッタ・タブ２２５を形成することで、ジンバル・タング２２４の大きな変動を効果的に規制することができる。ジンバル・タング２２４が、その中心よりも前側においてジンバル・アーム２２３とつながっている場合、上述の説明は逆となる。つまり、ジンバル・タング２２４の後辺にリミッタ・タブ２２５を形成するとで、ジンバル・タング２２４及びジンバル２０２の過大な変形を効果的に防止することができる。
【００４３】
図５（ａ）は、図２（ｂ）におい円で囲まれたＨＧＡ２００の前部の部分拡大図であり、ヘッド・スライダ１０５の反対側（ロード・ビーム２０３側）から見た状態を模式的に示している。また、図５（ｂ）は、図５（ａ）のＢ−Ｂ切断線における断面構造を模式的に示す拡大図である。図５（ｂ）に示すように、ジンバル２０２に対向するロード・ビーム２０３面上に、突出したディンプル２３７が形成されている。ディンプル２３７は、ジンバル２０２（ヘッド・スライダ１０５側）に向かって隆起している。
【００４４】
ディンプル２３７は、ジンバル・タング２２４の反ヘッド・スライダ側の面に当接し、押圧している。ジンバル・アーム２２３は反った状態となっており、弾性力によってジンバル・タング２２４をディンプル２３７に押し当てる。ジンバル・タング２２４は、ヘッド・スライダ１０５の動きに応じて、ピッチ方向あるいはロール方向に変形し、磁気ディスク１０１の面振れやアッセンブリに伴う傾きを吸収すると同時に、磁気ディスク１０１のトラッキングに高い追従性を発揮する。
【００４５】
図５（ｂ）に示すように、本例のディンプル２３７は、ヘッド・スライダ１０５の中心より後ろにおいて、ジンバル・タング２２４に当接している。このような構成においては、リミッタ・タブ２２５は、ジンバル・タング２２４の前辺に形成されていることが好ましい。ディンプル２３７がヘッド・スライダ１０５の後ろ側においてジンバル・タング２２４に当接している場合、ヘッド・スライダ１０５の前側が磁気ディスク１１側に変位しやすい。従って、ジンバル・タング２２４の前辺にリミッタ・タブ２２５を設けることで、ジンバル・タング２２４の大きな変形を効果的に規制することができる。
【００４６】
ここで、ディンプル２３７が、ヘッド・スライダ１０５の中心より前側において、ジンバル・タング２２４に当接するように、ＨＧＡを構成することができる。この場合、上述の例とは逆に、リミッタ・タブ２２５は、ジンバル・タング２２４の前辺に形成されていることが好ましい。
【００４７】
本形態のリミッタ機構について、詳細を説明する。図６に示すように、ロード・ビーム２０３は、ヘッド・スライダ１０５のシルエット内に、開口２３４を備える。この開口２３４の前側の一辺の略中央において、開口２３４の中央にむかって突出し、係止部の一例として機能する突出部２３３が形成されている。サスペンション１１０が組み立てられた状態において、リミッタ・タブ２２５は開口２２４に挿入されている。つまり、図５（ｂ）に示すように、リミッタ・タブ２２５は、ロード・ビーム２０３のジンバル２０２対向面からその反対側の背面側に向かって開口２３４を貫通している。
【００４８】
図６に示すように、リミッタ・タブ２２５は開口２５１を有している。ロード・ビーム２０３の突出部２３３が、図５（ｂ）に示すように、リミッタ・タブ２２５の開口２５１を貫通している。リミッタ・タブ２２４は、ジンバル・タング２２４の前端から延在するリミッタ・タブ・アーム２２５ａ、２２５ｂを有する。リミッタ・タブ２２５は、さらに、リミッタ・タブ・アーム２２５ａ、２２５ｂをつなぎ、変形時に突出部２３３に係止される被係止部２２５ｃを有する。リミッタ・タブ・アーム２２５ａ、２２５ｂは、ヘッド・スライダ１０５側からその反対側（ロード・ビーム背面側）に、ロード・ビーム２０３の開口２３４を貫通している。
【００４９】
被係止部２２５ｃが、ロード・ビーム背面側において突出部２３３と対向するように、リミッタ・タブ２２５は加工されている。通常時において、図５（ｂ）に示すように、被係止部２２５ｃは突出部２３３から離間していることが好ましい。これは、被係止部２２５ｃと突出部２３３との接触による塵埃の発生を防止するためである。リミッタ・タブ２２５の開口２５１は、リミッタ・タブ・アーム２２５ａ、２２５ｂ、被係止部２２５ｃ及びジンバル・タング２２４の前端辺によって画定されている。リミッタ・タブ２２５が開口２５１を有することによって、リミッタ・タブ２２５を軽量化でき、ヘッド・スライダ１０５の良好なダイナミクスを維持することができる。
【００５０】
リミッタ機構は、ジンバル２０２（もしくはヘッド・スライダ１０５）とロード・ビーム２０３との間隔を制限することによって、ヘッド・スライダ１０５のアンロード処理においてヘッド・スライダ１０５を引き上げる動作を補助する機能、あるいは、外部から衝撃が加わったときのジンバル２０２の過大な変形を防止する機能を果たすことができる。つまり、外部からの衝撃などによって、ヘッド・スライダ１０５が磁気ディスク側の動くと、ジンバル２０２が変形し、リミッタ・タブ２２５が、ロード・ビーム２０３の突出部２３３に引っ掛かる。
【００５１】
具体的には、通常状態において突出部２３３から離間しているリミッタ・タブ２２５は、衝撃によって磁気ディスク側へ移動し、突出部２２３とリミッタ・タブ２２５の開口２５１の端とが接触する。つまり、突出部２２３がリミッタ・タブ２２５の被係止部２２５ｃを係止し、ジンバル２０２がそれ以上変形することを規制する。これによって、強い衝撃が外部から加えられた場合にも、ヘッド・スライダ１０５がロード・ビーム２０３から離れる方向に大きく移動することを効果的に防止し、高い対衝撃性を実現する。
【００５２】
尚、ロード・ビーム２０３の開口２３４の後側端（タブ１１６の反対側）に、リミッタ・タブ２２５を係止する突出部を形成することができる。この場合、リミッタ・タブ２２５を、ジンバル・タング２２４側に屈曲する。突出部によるリミッタ・タブ２２５の係止によって、ジンバル２０２の変形を規制することができる。製造容易の点からは、図に示したリミッタ構造が好ましい。
【００５３】
図７（ａ）は、リミッタ・タブの他の態様を模式的に示す平面図である。図７（ａ）は、ジンバル３１１及びジンバル３１１に固着されたヘッド・スライダ１０５を示している。また、図７（ｂ）は、図７（ａ）のヘッド・スライダ１０５を取り除いた、ジンバル３１１のみの構成を模式的に示している。本例のジンバル３１１は、ジンバル・タング３１２の後端部にリミッタ・タブ３１３を備えている。具体的には、ジンバル・タング３１２の後辺からリミッタ・タブ３１３が後方に向かって延出している。
【００５４】
リミッタ・タブ３１３は、図４の例と同様に、ヘッド・スライダ１０５のシルエット内にある。また、リミッタ・タブ３１３は、その加工形成前にヘッド・スライダ１０５のシルエット内にあるヘッド・ジンバル３１１の一部をエッチング及び曲げ加工することによって形成される。
【００５５】
本例のジンバル・タング３１２は、その中心よりも後ろ側において、回動方向に延びるリンク・アーム３１４ａ、３１４ｂによって、ジンバル・アーム３１５ａ、３１５ｂに結合されている。ＨＧＡの設計においては、このような構成を選択することも可能である。この構成においては、ディンプルは、ヘッド・スライダ１０５の中心よりも前方側においてジンバル・タングに当接する。
【００５６】
リミッタ・タブ３１３をジンバル・タング３１２の後方側に設けることによって、ヘッド・スライダ１０５がランプに退避しているときに、ジンバル３１１の大きな変形を防止することができる。ヘッド・スライダ１０５の前側に形成されたジンバル・タブ３１６との協働により、外部からの衝撃によるヘッド・スライダ１０５の望ましくない動きを、より効果的に規制することができる。
【００５７】
以上、本発明を好ましい実施形態を例として説明したが、本発明が上記の実施形態に限定されるものではない。当業者であれば、上記の実施形態の各要素を、本発明の範囲において容易に変更、追加、変換することが可能である。例えば、本発明はＨＤＤに限らず、他のタイプの記録ディスクを使用するディスク・ドライブ装置に適用することができる。本例において、ジンバルとロード・ビームとは別部材として形成されているが、本発明はこれらが一体的に形成されたサスペンションに適用することができる。また、本発明は、リード素子のみを有するＨＧＡに適用することができる。
【００５８】
上述のリミッタ機構は、ロード・ビームの突出部がリミッタ・タブの開口端を係止するが、他の形状のリミッタ機構を使用することができる。例えば、他の例のリミッタ機構は、Ｔ字状のリミッタ・タブを有する。リミッタ・タブはロード・ビームの開口を貫通し、ロード・ビームの背面側にＴ字の頭部分が存在する。外部からの衝撃があると、Ｔ字の頭部分をロード・ビーム背面が係止し、その背面の一部が係止部としてはたらく。
【図面の簡単な説明】
【００５９】
【図１】本実施形態において、ハードディスク・ドライブの全体構成を模式的に示す平面図である。
【図２】本実施形態において、ヘッド・ジンバル・アセンブリの全体構成を示す平面図である。
【図３】本実施形態において、ヘッド・ジンバル・アセンブリの全体構成を示す分解斜視図である。
【図４】本実施形態における、ヘッド・スライダ側見たＨＧＡの前端部の構成を模式的に示す図である。
【図５】本実施形態における、ヘッド・スライダ側見たＨＧＡの前端部の構成及びその断面の構成を模式的に示す図である。
【図６】本実施形態における、リミッタ機構の構成を模式的に示す平面図である。
【図７】他の好ましい形態における、リミッタ機構の構成を示す図である。
【符号の説明】
【００６０】
１００  ハードディスク・ドライブ、１０１  磁気ディスク、１０２  ベース
１０３  スピンドル・モータ、１０４  ハブ、１０５  ヘッド・スライダ
１０６  アクチュエータ、１０７  回動軸、１０９  ＶＣＭ、
１１０  サスペンション、１１１  アーム、
１１２  コイル・サポート、１１３  フラットコイル、
１１５  ランプ、１１６  タブ、１２２  トレース、１４３  ＦＰＣ
１４７  ＦＰＣコネクタ、２００  ヘッド・ジンバル・アセンブリ
２０１  フレックス・ケーブル、２０２  ジンバル、２０３  ロード・ビーム
２０４  マウント・プレート、２１８  開口、２２１  ジンバル・タブ
２２２  ジンバル・ベース、２２３ａ、ｂ  ジンバル・アーム
２２４  ジンバル・タング、２２５  リミッタ・タブ
２２５ａ、ｂ  リミッタ・タブ・アーム、２２５ｃ  被係止部
２３１  ヒンジ部、２３２ａ、ｂ  フランジ、２３３  突出部、２３４  開口
２３７  ディンプル、２５１  リミッタ・タブ開口
【図１】
2007280445.tif 000003
【図２】
2007280445.tif 000004
【図３】
2007280445.tif 000005
【図４】
2007280445.tif 000006
【図５】
2007280445.tif 000007
【図６】
2007280445.tif 000008
【図７】
2007280445.tif 000009